(57)【特許請求の範囲】
【請求項１】
天板と、前記天板がその後部を中心にして跳ね上げ回動し得るように連結された脚装置と、前記天板を水平姿勢に倒した状態に保持するロック装置とを備えており、
前記天板又は脚装置に、前記ロック装置のロックを解除する操作手段が設けられていて、前記操作手段によってロックが解除されると、押し上げ装置により、前記天板が少しだけ跳ね上げ回動される構成であって、
前記ロック装置は、前記脚装置又は天板に設けた固定部を有しており、前記ロック装置の固定部に前記押し上げ装置が内蔵されている、
テーブル。
【請求項２】
前記脚装置は、前記天板を跳ね上げると前後にネスティングできる形態である一方、前記操作手段は前記天板の前部の下面に配置されている、
請求項１に記載したテーブル。
【請求項３】
更に、前記天板が押し上げ装置によって回動した姿勢よりも大きい角度に手動で回動させた後、天板の跳ね上げをアシストして最大跳ね上げ角度に自動的に保持する付勢手段が備えられている、
請求項１又は２に記載したテーブル。
【発明の詳細な説明】
【技術分野】
【０００１】
本発明は、跳ね上げ回動式の天板を備えているテーブル（折り畳み式テーブル）に関するものであり、特に、天板を跳ね上げることで前後にネスティング（嵌め合わせ）できるようになっているテーブルを好適な対象にしている。
【背景技術】
【０００２】
天板を跳ね上げ回動させると前後にネスティングできるテーブルの例として、本願出願人は、特許文献１において、天板の後端部を脚装置に回動自在に連結して、天板の前端寄り部位と脚装置の前端部とをロック装置にて連結し、脚装置に設けたレバーをプッシュ操作するとロックが解除されて、天板が回転支持手段（ばね手段）によって跳ね上げられる構成を開示した。
【先行技術文献】
【特許文献】
【０００３】
【特許文献１】特許第４４４２３７９号公報
【発明の概要】
【発明が解決しようとする課題】
【０００４】
この特許文献１のテーブルは、天板を水平姿勢に倒した状態に保持するロック装置を備えているため、天板を跳ね上げ回動させるばね手段を設けていても、天板を水平姿勢に確実に保持できる。このため、操作性と安全性とに優れている利点がある。
【０００５】
しかし、本発明者たちが検討したところ、改善の余地が見つかった。例えば、ロック装置を左右の脚に対応して設けている一方、ロックを解除すると天板はトーションバー等のばね手段によって自動的に跳ね上がるため、天板の跳ね上げ操作に際しては、天板の前端に手を当てて天板の跳ね上げを抑制しつつレバー操作をせねばならず、このため、天板の跳ね上げ操作が面倒になるおそれがあった。
【０００６】
本発明はこのような現状に鑑み成されたものであり、操作性や安全性等を向上させたテーブルを提供することを課題とするものである。また、本願には多くの発明が包含されており、これらの発明も独立した請求項たり得るものである。
【課題を解決するための手段】
【０００７】
本発明は様々の構成を含んでおり、その例を各請求項で特定している。このうち請求項１の発明は上位概念をなすものであり、
「天板と、前記天板がその後部を中心にして跳ね上げ回動し得るように連結された脚装置と、前記天板を水平姿勢に倒した状態に保持するロック装置とを備えており、
前記天板又は脚装置に、前記ロック装置のロックを解除する操作手段が設けられていて、前記操作手段によってロックが解除されると、押し上げ装置により、前記天板が少しだけ跳ね上げ回動される」
という構成において、
「前記ロック装置は、前記脚装置又は天板に設けた固定部を有しており、前記ロック装置の固定部に前記押し上げ装置が内蔵されている」
という構成を付加したものである。
【０００８】
請求項２の発明は、請求項１において、前記脚装置は、前記天板を跳ね上げると前後にネスティングできる形態である一方、前記操作手段は前記天板の前部の下面に配置されている。
【００１０】
請求項３の発明は、請求項１又は２において、更に、前記天板が押し上げ装置によって回動した姿勢よりも大きい角度に手動で回動させた後、天板の跳ね上げをアシストして最大跳ね上げ角度に自動的に保持する付勢手段が備えられている。
【発明の効果】
【００１１】
さて、天板をその自重に抗して自動的に跳ね上げ回動させる付勢手段を備えている場合は、天板に手を当てた状態でロックを解除してから、付勢手段を制動しながら天板を跳ね上げさせねばならないため、人は注意しながら天板を掴んでその跳ね上げ作業をせねばならず、このため、作業に注意を要するという問題がある。
【００１２】
一方、天板をその自重に抗して自動的に跳ね上げ回動させる付勢手段を備えていない場合は、ロック解除状態を手で保持しながら天板を跳ね上げせねばならず、この場合も、天板の跳ね上げ作業が面倒である。また、ロックが解除されているか否かの判断は手の感触に頼るしかないため、ロック解除の感覚が判りにくいという問題もある。
【００１３】
これに対して本発明では、操作手段を操作してロック装置を解除すると、天板が少しだけ跳ね上がってロック解除状態が保持されるため、ロック解除操作をしてからずっと天板を持ち続ける必要はないし、ロック解除操作に際しては、必ずしも天板に手を当てておく必要はなく、更に、ロック解除状態も明瞭に把握できる。このため、人は注意を要することなく天板の跳ね上げ操作を行うことができて、それだけ、人の負担を軽減できる。
【００１４】
特に、左右横幅が大きくて左右両側に操作手段を設けている場合は、両手を大きく伸ばして天板を保持しつつ操作手段を操作せねばならないため、特に人の負担が大きくなるが、本発明では、天板を保持することなく、左右の操作手段を別々に操作できるため、人の負担軽減の効果は特に大きくなる。
【００１５】
天板を跳ね上げることの必要性は、ネスティングすることで格納スペースを小さくできるテーブルにおいて特に高いものである。従って、請求項２のようにネスティング可能なテーブルに適用すると、本発明の真価が強く発揮されると云える。また、請求項２のように操作手段を天板の前部の下面に配置すると、操作手段によるロック解除は天板の前部に手を当てた状態で行うことできるため、ロック解除動作と天板の跳ね上げ動作とを一連に行うことができる。従って、操作性に優れている。
【００１６】
押し上げ装置は、ロック装置から離して設けることも可能であるが、本願発明のようにロック装置に内蔵すると、コンパクト化できると共に、押し上げ装置に物が当たるような不具合も防止できる利点がある。特に、押し上げ装置を脚装置に設けると、例えばパイプ状等の脚装置の内部を押し上げ装置の配置スペースとして有効利用できるため、コンパクト化に一層貢献できる。
【００１７】
テーブルをネスティングする場合、天板の跳ね上げが不十分であると、天板同士が当たって、ネスティングが不完全になる。従って、天板を上限まで跳ね上げて保持する手段を設けるのが好ましい。
【００１８】
この天板の跳ね上げ位置保持手段としては、例えば、最大角度まで跳ね上げると互いに嵌まり合うキャッチ装置のような保持手段を設けることも可能であるが、この場合は、保持手段の係合が不十分であると、移動に伴う振動等によって天板が自重で倒れ回動するおそれがある。また、人が天板を跳ね上げ操作している途中で、何らかの理由で力を抜くと、天板が自重で倒れ回動してしまう。さりとて、天板が水平姿勢から最大跳ね上げ角度までばね手段で跳ね上げられる構成では、既述のように、手間や安全性の問題がある。
【００１９】
これに対して請求項３の構成を採用すると、ロックが解除されて天板が僅かに跳ね上げられた状態では、天板はその状態に保持されていて、人が手で持ち上げないと上向き回動はしない。そして、人がある程度まで天板を回動させると、天板は付勢手段のみによっても跳ね上げられて、天板は最大跳ね上げ位置（角度）に保持される。
【００２０】
つまり、少し後上げられた天板を手動である程度まで回動させると、後は、最大跳ね上げ位置（姿勢）まで自動的に回動し得る。従って、天板を最大跳ね上げ位置（姿勢）に保持してネスティング機能を確実化することを、作業の手間や安全性の問題を招来することなく、実現できる。
【図面の簡単な説明】
【００２１】
【図１】第１実施形態に係るテーブルを示す図で、（Ａ）は天板を倒した状態での斜視図、（Ｂ）は天板を跳ね上げた状態での斜視図、（Ｃ）は脚装置に対する天板後部の連結状態を示す部分斜視図、（Ｄ）はテーブルの後部の部分側面図である。
【図２】（Ａ）は天板を上限まで跳ね上げた状態での側面図、（Ｂ）はロック解除によって天板が少しだけ跳ね上がった状態での側面図、（Ｃ）は天板を倒し切った状態での側面図である。
【図３】（Ａ）は要部の分離斜視図、（Ｂ）はネスティング状態での部分平面図、（Ｃ）（Ｄ）はネスティング時の衝撃を緩和する緩衝部材の斜視図である。
【図４】（Ａ）（Ｂ）ともロック装置の分離斜視図である。
【図５】（Ａ）（Ｂ）はロック状態でのロック装置の全体斜視図、（Ｃ）は脚装置を省略した状態での要部の底面図である。
【図６】（Ａ）（Ｂ）ともロック装置を上から見た斜視図である。
【図７】（Ａ）はアッパブラケットを上から見た斜視図、（Ｂ）はアッパブラケットを寝かせた状態の斜視図、（Ｃ）はレバー部材をひっくり返した状態での斜視図である。
【図８】ロック状態での図５の VIII-VIII視断面図である。
【図９】ロック解除状態での図５のIX-IX 視断面図である。
【図１０】第２実施形態の要部斜視図である。
【図１１】図１０の XI-XI視断面図である。
【図１２】図１０の XII-XII視断面図である。
【図１３】ワイヤーのガイド手段の一例を示す平断面図である。
【発明を実施するための形態】
【００２２】
(1).第１実施形態に係るテーブルの概要
次に、本発明の実施形態を図面に基づいて説明する。まず、第１実施形態に係るテーブルの概要を、図１，２に基づいて説明する。なお、請求項及び以下の説明で方向を特定するために前後・左右の文言を使用しているが、これは、テーブルを普通の姿勢で使用する人の向きを基準にしている（前後は、人に近い側が前で、人から遠い側が後ろ（背部）になる。）。
【００２３】
図１のとおり、テーブルは、平面視四角形の天板１と、これを支持する脚装置２とを備えている。脚装置２の背面に幕板を設けることも可能である。天板１は木製であり、左右横長の長方形の形態になっている。従って、２〜３人掛けの仕様になっている。なお、天板１は、平面視略正方形としたり平面視半円状とするなど、種々の形態を採用できる。また、天板１はスチール製であってもよい。天板１の前端部の下面には、左右横長で中空角形のフロント補強フレーム３を固定している。
【００２４】
図１のとおり、脚装置２は、天板１のコーナー寄り部位に配置された２本ずつの前脚柱４及び後ろ脚柱５と、前脚柱４と後ろ脚柱５とをその上部において連結する前後長手のサイドフレーム６と、左右のサイドフレーム６に連結された左右横長のリア補強フレーム（軸受けフレーム）７と、左右後ろ脚柱５の上端間に掛け渡した左右横長のリア支持フレーム８とを備えている。各脚柱４，５は丸パイプ製であり、下端にはキャスタを設けている。
【００２５】
図１（Ｃ）に明示するように、天板１は、その後部を中心にして跳ね上げ回動させ得るように、左右端部が軸受けブラケット９によって円筒形のリア支持フレーム８に連結（取付け）されている。そして、リア支持フレーム８のうち左右後ろ脚柱５の間の部位に、下向きのアーム部１０ａを有する支持ブラケット１０が固定されており、支持ブラケット１０と天板１の前後中途部とを、前後長手のガススプリング１１で連結している。ガススプリング１１は請求項に記載した付勢手段の一例である。
【００２６】
ガススプリング１１は、シリンダ１２とこれに摺動自在に嵌まったロッド１３とを備えており、シリンダ１２が手前に位置してロッド１３が後ろに位置する姿勢で配置されている。そして、ロッド１３の先端が左右横長の後部ピン１４で後部支持ブラケット１０の下端部に連結されている一方、シリンダ１２の先端は左右長手の前部ピン１５で前部支持ブラケット１６に連結されており、前部支持ブラケット１６は、ビスで天板１の下面に固定されている。
【００２７】
ガススプリング１１は伸長方向に付勢されている。他方、天板１が水平姿勢から傾斜姿勢になると、自重によって水平姿勢に戻そうとするモーメントが発生し、そのモーメントは、傾斜角度が大きくなるほど小さくなる。そこで、ガススプリング１１の付勢力が、天板１を水平姿勢からある程度だけ回動させた状態で釣り合うように設定している。
【００２８】
従って、天板１が水平姿勢から少しだけ押し上げられた状態では、天板１のモーメントにガススプリング１１の付勢力が負けていて、天板１は少しだけ押し上げられた状態に保持されている一方、人が天板１をある程度の角度まで回動させると、ガススプリング１１の付勢力が天板１の下向きモーメントに勝って、天板１はガススプリング１１のみによっても、最大跳ね上げ角度まで回動させられる。このため、天板１を上限まで跳ね上げた状態に保持できるのであり、その結果、ネスティングを確実化できる。例えば、最大跳ね上げ角度が３０度程度である場合は、ガススプリング１１のみによっても跳ね上げできる境界の角度を、１０〜１５度程度に設定できる。
【００２９】
図３（Ｂ）から理解できるように、前脚柱４の左右間隔よりも後ろ脚柱５の左右間隔を狭くすることにより、天板１を上向きに跳ね上げ回動させると、テーブルを前後にネスティング（嵌め合わせ）することができるようになっている。従って、左右のサイドフレーム６は、平面視で後ろに行くに従って間隔が狭まるハ字の姿勢になっている。
【００３０】
この場合、前後脚柱４，５に、樹脂製の緩衝材１６，１７をビスで固定することにより、ネスティングに際して前後のテーブルが当たったときの衝撃を緩和すると共に、脚柱４，５の損傷を防止している。緩衝材１６，１７は、サイドフレーム６及びリア補強フレーム７の高さ位置に固定されており、両緩衝材１６，１７とも、脚柱４，５の周囲に延びる円弧状の形態を成しており、脚柱４，５に嵌まる上下一対のボス１６ａ，１７ａを設けている。
【００３１】
また、両緩衝材１６，１７とも、ボス１６ａ，１７ａの間の上下中間高さ位置には、ビスが挿通される取り付け穴１６ｂ，１７ｂが空いている。取り付け穴１６ｂ，１７ｂには、ビスの頭が嵌まる座繰り穴を設けている。また、前脚柱４には、先行したテーブルのサイドフレーム６に当たる１つの緩衝材１６を固定して、後ろ脚柱５には、先行したテーブルのサイドフレーム６に当たる緩衝材１７と、リア補強フレーム７に当たる緩衝材１７との２つの緩衝材を固定している。
【００３２】
後ろ脚柱５に固定される緩衝材１７の横幅は、前脚柱４に固定される緩衝材１６の横幅よりも小さくなっており、ボス１７ａは周方向の中間部に設けている。他方、前脚柱５に固定される緩衝材１６のボス１６ａと取り付け穴１６ｂは、周方向に沿って片側にずれている。このため、左右の前脚柱４に空けたねじ穴が真横を向いていても、１種類のものをいずれにも使用できる。従って、左右の前脚柱４と左右の緩衝材１６とは、それぞれ１種類でよい。
【００３３】
図１（Ａ）に示すように、後部支持ブラケット１０はカバー１８で下方から覆われている。図１（Ｃ）や図２では、カバー１８は省略している。また、図１（Ｃ）に明示するように、後部支持ブラケット１０には、天板１に固定された上サイドスペーサ１９が上から摺動可能に重なっている。また、図１（Ｄ）に示すように、カバー１８には、上サイドスペーサ１９の下方でリア支持フレーム８を囲う下キャップ１９ｂを設けており、上サイドスペーサ１９と下キャップ１９ｂとでリア支持フレーム８を回動可能に抱持している。このめ、天板１は、左右に長い形態でありながら撓み変形が抑制される。
【００３４】
図１（Ａ）のとおり、リア支持フレーム８の左右中間部と天板１との間にも、天板１の撓みを抑制する中間スペーサ１９ａが配置されている。中間スペーサ１９ａの箇所にも、下キャップ１９ｂを有するカバー１８を設けることは可能である。
【００３５】
図１（Ｃ）に示すように、リア支持フレーム８の左右両端寄り部位に、周方向に長い長穴８ａが空いている一方、天板１の軸受けブラケット９には、リア支持フレーム８の内部に嵌まるインナー筒部（図示せず）を設けており、インナー筒部にねじ込んだビスの頭８ｂを長穴８ａの内部に位置させている。そして、ビスの頭８ｂの移動が長穴８ａで規制されることにより、天板１の跳ね上げ範囲が規制されている。
【００３６】
天板１は、ロック装置２０によって倒し姿勢に保持される。ロック装置２０は、天板１のコーナー寄り部位の下面に固定されたアッパブラケット２１と、このアッパブラケット２１に水平回動可能に装着されたレバー部材２２とを備えており、レバー部材２２に設けた引手２２ａを手前に引くとロックが解除される。引手２２は、請求項に記載した操作手段を構成している。従って、レバー部材２２は、ロック装置２０と操作手段とを兼用している。図２（Ｃ）では天板１を水平姿勢に保持したロック状態を示しており、ロックが解除されると、図２（Ｂ）のように天板１は少しだけ跳ね上がる。
【００３７】
そして、天板１は、人が手で引き上げることにより、ガススプリング１１でアシストされて、図２（Ａ）のような最大跳ね上げ姿勢に移行させることができる。既述のとおり、跳ね上げ姿勢はガススプリング１１によって保持されており、ガススプリング１１に抗して押し下げると、天板１を水平姿勢にすることができる。天板１が水平姿勢になると、自動的にロック状態になる。
【００３８】
(2).アッパブラケットとレバー部材
次に、図３以下の図面も参照してロック装置２０を説明する。図４に全体を示すように、ロック装置２０は、既述のアッパブラケット２１とレバー部材２２、及び、レバー２２の内部に配置された可動ロック体２３と、前脚柱４の上端部に内蔵した略筒状の受け部材２４とを備えている。受け部材２４は請求項に記載した固定部の一例であり、この受け部材２４の内部に、請求項に記載した押し上げ装置の一例として、ばね２５で上向きに付勢されたプッシャー２６を内蔵している。なお、各部材はアルミダイキャスト品又は樹脂成形品になっている。
【００３９】
図６，７に示すように、アッパブラケット２１は、天板１のコーナー部の下面に配置されるように平面視で略四角形（正方形）の基本形状であり、対角方向に長い下向きのランド部２１ａを有すると共に、天板１のコーナー外側を向いた角部には、筒部２１ｂを下向きに突設している。
【００４０】
図４（Ａ）から理解できるように、筒部２１ｂは、その上端面はランド部２１ａの上面より少し低くなって、下端はランド部２１ａの下方に突出している。また、筒部２１ｂは、平面視で半分以上の範囲がランド部２１ａから対角方向に突出しており、このため、アッパブラケット２１の上部には、筒部２１ｂの略同径の平面視円弧状の凹所２７が形成されている。
【００４１】
アッパブラケット２１は、３本又は４本のボルト（図示せず）で天板１に固定されている。そこで、３つ又は４つの座繰り穴２８を設けている。図５（Ｃ）では３本のボルトで固定する形態を示して、図５（Ｂ）や図６など他の図面では４つのボルトで固定する形態を示している。図６の形態では、２つの座繰り穴２８はランド部２１ａの箇所に設けており、他の２つの座繰り穴２８は、ランド部２１ａを挟んだ２つの角部に設けている。アッパブラケット２１の上部の外周のうち、筒部２１ｂと反対側の角の近傍には、フロント補強フレーム５に嵌まる横向き角形突起２９を設けている。
【００４２】
レバー部材２２は、アッパブラケット２１の筒部２１ｂに上から回転可能に嵌まる円形のボス部２２ｂの上端部に既述の引手２２ａを一体に設けた形態であり、引手２２ａは、アッパブラケット２１における筒部２１ｂの上側でかつ、アッパブラケット２１におけるランド部２１ａの手前に位置している。従って、人は、ランド部２１ａの手前の空間に下から指先を差し入れることにより、引手２２ａを手前に引くことができる。
【００４３】
レバー部材２２の上端部には、ボス部２２ｂよりも大径の外向きフランジ部２２ｃが形成されており、外向きフランジ部２２ｃがアッパブラケット２１の筒部２１ｂの上面に載ることにより、レバー部材２２は落下不能に保持されている。上向き動は天板１で阻止されている。
【００４４】
レバー部材２２の上部には上向き開口の上凹所３０が形成されており、上凹所３０の中心に支軸３１を形成して、支軸３１にコイル式ねじりトーションばね３２を嵌め込んでいる。ねじりトーションばね３２は、平面視でハ字状の姿勢を成した一端部３２ａと他端部３２ｂとを有しており、一端部３２ａは上凹所３０の内面に当て、他端部３２ｂは、アッパブラケット２１の上面に設けた係止溝３３に上から嵌め込んでいる。
【００４５】
レバー部材２２の上端部には、ねじりトーションばね３２の他端部３２ａが係止溝３３に嵌まることを許容するため、上向きに開口した逃がし溝３４を周方向に沿って形成している。レバー部材２２は、ねじりトーションばね３２により、引手２２ａが後退したロック姿勢に向けて付勢されており、ねじりトーションばね３２の弾性に抗して引手２２ａを手前に引くことができる。
【００４６】
(3).可動ロック体
例えば図４（Ａ）（Ｂ）に示すように、レバー部材２２におけるボス部２２ｂの略下半部はブラケット２１の筒部２１ｂから下方に突出しており、このため、ボス部２２ｂの中途高さ位置には下向きの段差面３５が形成されている。他方、図８のとおり、アッパブラケット２１における筒部２１ｂの下端には、ボス部２２ｂの下向きの段差面３５に対応した内向きフランジ３６が形成されている。
【００４７】
更に、図４（Ａ）に示すように、レバー部材２２のボス部２２ｂには、引手２２ａの軸線と直交した方向に開口した横穴３７が空いており、横穴３７に、既述の可動ロック体２３が水平スライド自在に嵌め込まれている。可動ロック体２３は、上爪部２３ａと下爪部２３ｂとを有していて側面視コ字形を成しており、爪部２３ａ，２３ｂを先にした姿勢で、横穴３７の略下半部に横から嵌め込まれている。下爪部２３ｂが、天板１を水平姿勢に保持する係合爪として機能している。
【００４８】
そして、図４（Ａ）のとおり、レバー部材２２のボス部２２ｂには、可動ロック体２３の上爪部２３ａが貫通して露出する上窓穴３８と、可動ロック体２３の下爪部２３ｂが貫通して露出する下窓穴３９とが、横穴３７の開口方向と逆方向に開口している。上窓穴３８は、ボス部２２ｂにおける段差面３５の上の高さに位置している。そこで、図４（Ｃ）に示すように、ボス部２２ｂのうち上窓穴３８を設けた部位に、段差面３５を無くした状態の切欠き４０を形成して、切欠き４０の箇所に上窓穴３８を形成している。
【００４９】
また、可動ロック体２３の上部には、上爪部２３ａに連続する横向きフランジ２３ｃが形成されている一方、レバー部材２２におけるボス部２２ｂの横穴３７には、横向きフランジ２３ｃがスライド自在に嵌まるガイド溝４１が形成されており、このため、可動ロック体２３は引手２２ａと交叉した方向にスライド自在に保持されている。
【００５０】
そして、図８に示すように、可動ロック体２３のうち爪部２３ａ，２３ｂと反対側の背面部に、下端部が可動ロック体２３の背面に当接する板ばね４２を配置し、板ばね４２の上端部を、ボス部２２ｂにおける横穴３７の内側面にビス４４で固定している。従って、可動ロック体２３は、上下の爪部２３ａ，２３ｂが窓穴３８，３９から突出するロック姿勢に、板ばね４２で付勢されている。板ばね４２は付勢手段の一例であり、コイルばねやゴム等の他のばね体を使用することも可能である。
【００５１】
レバー部材２２の引手２２ａを手前に引くと、ボス部２２ｂが水平回転して可動ロック体２３は後退し、爪部２３ａ，２３ｂは窓穴３８，３９から突出しない状態になる。従って、レバー部材２２の水平回動を可動ロック体２３の後退動に変換する手段が必要である。
【００５２】
この点について本実施形態では、図７（Ａ）（Ｂ）に示すように、中空部２９の内面のうちランド部２１ａと反対側の部位に、引手２２ａを手前に引いてレバー部材２２が回動すると、可動ロック体２３の上爪部２３ａが乗り上げるカム部４８を内向きに突設している。すなわち、引手２２ａを引いてレバー部材２２が水平回動すると、可動ロック体２３の上爪部２３ａがカム部４８に載ることにより、可動ロック体２３は内向き移動し、これにより、下爪部２３ｂは下窓穴３９から突出しないロック解除位置に後退する。
【００５３】
(4).受け部材及びプッシャー
図４や図５に示すように、受け部材２４は、前脚柱４の上端部に嵌入する上リング部２４ａを備えており、上リング部２４ａに、前脚柱４の上端面に重なるフランジ２４ｂと、下方に延びる一対の内壁２４ｃとを有しており、一対の内壁２４ｃの下端は底板２４ｄで連結されている。また、図８に示すように、上リング部２４ａに可動ロック体２３の下爪部２３ｂが下方から係合することにより、天板１を水平姿勢に保持するロック状態になっている。
【００５４】
図４，５のとおり、内壁２４ｃには、前脚柱４の内周面に当接又は密接する平面視円弧状の補強リブ４７と、補強リブ４７で形成された空間に位置したねじ筒４８とが形成されており、前脚柱４を貫通したビス（図示せず）をねじ筒４８にねじ込むことにより、受け部材２４が前脚柱４に固定されている。従って、前脚柱４にはビスが貫通する穴が上下に複数個（３個）ずつ空いているが、図示は省略している。
【００５５】
既述のとおり、受け部材２４の内部にはプッシャー２６が上下動自在に配置されている。プッシャー２６は、ロッド２６ａの上端に円板状の天板２６ｂを一体に設けた基本形態であり、ロッド２６ａにはばね（圧縮コイルばね）５０が被嵌している。ばね５０は、受け部材２４の底板２４ｄで支持されている。また、ロッド２６ａは、受け部材２４の底板２４ｄに設けた穴に摺動自在に貫通している。
【００５６】
この場合、図５（Ａ）に明示するように、ロッド２６ａに、その軸心を挟んで両側に位置した突条５１を形成している一方、受け部材２４の底板２４ｄには、突条５１が嵌まる溝５２を形成している。従って、プッシャー２６は回転することなくスライド（昇降）のみする。受け部材２４の内部の空間は、受け部材２４における一対の内壁２４ｃの間において両側に開口している。
【００５７】
従って、プッシャー２６はばね５０で上向きに付勢されているが、抜け止めが必要である。そこで、天板２６ａには、軸心を挟んだ両側にガイド片５３を下向き突設すると共に、２つのガイド片５３の間に２本ずつ（１本ずつでもよい）の鉤状のストッパー爪５４を下向きに突設している。図９に示すように、ストッパー爪５４が受け部材２４の上リング部２４ａに下方から引っ掛かることにより、プッシャー２６の上限が規制される。
【００５８】
ストッパー爪５４は、これを弾性変形させることにより、受け部材２４のリング部２４ａの下方に嵌め込むことができる。そこで、ストッパー爪５４には、リング部２４ａの内周面に当たって弾性変形することを確実化するため、誘い込みのための傾斜面５４ａを形成している。
【００５９】
(5).まとめ
既に説明したように、ロック状態からレバー部材２２の引手２２ａを手前に引くと、レバー部材２２が水平回動して、可動ロック体２３は図８に示すロック状態から後退する。すると、レバー部材２２のボス部２２ｂがプッシャー２６で上向きに押されて、図９及び図２（Ｂ）に示すように、天板１は水平姿勢から少しだけ跳ね上げ回動した状態になる。
【００６０】
従って、人は、天板１の動きをコントロールして注意しながら跳ね上げ操作する必要はない。その結果、人の負担を軽減できると共に、安全性にも優れている。また、本実施形態のように天板１が左右に長いと、人の両手が左右の引手２２ａに届かない場合があるが、本実施形態では、２つの引手２２ａを片方ずつ引くことで左右のロックを安全な状態で別々に解除できるため、天板１が左右に長いテーブルにおいては、本発明の利点が如何なく発揮されると云える。
【００６１】
なお、ロック解除によって天板１が跳ね上がる寸法は僅かであり（ロック状態に戻らないように、下爪部２３ｂが受け部材２４の上リング部２４ａから上に外れたら十分である）、天板１の捩じれることにより、一方のロック装置２０のロック状態は保持した状態で他方のロックを解除できるため、左右のロック装置２０を片方ずつロック解除して、ロック装置の箇所において天板１を少しだけ跳ね上げることができる。
【００６２】
既述のとおり、天板１の跳ね上げがガススプリング１１でアシストされるため、天板１を軽い力で跳ね上げることができる。また、天板１はガススプリング１１によって上限位置（姿勢）に保持される。
【００６３】
引手２２ａから手を離すと、レバー部材２２はねじりトーションばね３２によって元の姿勢に戻ると共に、可動ロック体２３は、板ばね４２により、上下の爪部２３ａ，２３ｂを窓穴３８，３９から突出させた状態に戻る。
【００６４】
そして、跳ね上げた天板１を水平に倒すと、レバー部材２２は回動することなく、可動ロック体２３の下爪部２３ｂが受け部材２４の上リング部２４ａの上縁に当たって、可動ロック体２３だけが板ばね４２に抗していったん後退し、天板１を倒し切ると、可動ロック体２３が板ばね４２によって前進して、可動ロック体２３の下爪部２３ｂが受け部材２４の上リング部２４ａに係合する。これにより、ロック状態になる。この場合、可動ロック体２３の後退動をスムースにするため、下爪部２３ｂの下端には傾斜面２３ｃを形成している（受け部材２４の開口縁にもテーパ面を形成している。）。
【００６５】
(6).他の実施形態
次に、図１０〜１３に示す第２実施形態を説明する。この実施形態は、天板１の左右中間部に引手５７を設けたものであり、左右のロック装置２０は、それぞれワイヤー５８で操作される。引手５７は、フロント補強フレーム３の前面に重ね配置した引手ケース５９に前後スライド自在に装着している。なお、引手ケース５９は、フロント補強フレーム３に固定してもよいし、天板１に固定してもよい（両方に固定してもよい。）。
【００６６】
引手ケース５９には、その奥側と左右両側とに同一面を成す段部６０を形成している一方、引手５７には、段部６０に重なる上板部６１を設けており、上板部６１が段部６０と天板１とで上下から挟まれている。引手５７の前面と引手ケース５９の前部との間には、引手５７を後退方向に付勢するばね６２を配置している。
【００６７】
引手５７の左右外側部に、ワイヤー５８の端部が横から嵌まるワイヤー保持溝部６３を設けて、ワイヤー保持溝部６３の前端に、ワイヤー５８の先端に設けたボール６４を当てている。ワイヤー保持溝部６３は引手ケース５９の後端よりも手前に位置しており、引手ケース５９のうちワイヤー保持溝部６３の後ろの部位には、ワイヤー５８が上から嵌まるガイド溝６５を設けている。
【００６８】
ワイヤー５８は、フロント補強フレーム３の後ろに引き出されてから、それぞれロック装置２０に向けて左右方向に延びている。本実施形態では、右の引手５７で左のロック装置２０を操作し、左の引手５７で右のロック装置２０を操作するようになっているが、右の引手５７で右のロック装置２０を操作し、左の引手５７で左のロック装置２０を操作してもよい。
【００６９】
ワイヤー５８は引手５７の後ろで姿勢が変化しているので、滑らかに動くようにガイドする必要がある。この点については、図１２に示すように、適度の曲率半径を持ったガイド部材６６をフロント補強フレーム３の後面に装着したらよい。また、実施形態ではワイヤー５８を裸の状態で使用しているが、ワイヤーがチューブに挿通された索導管を使用してもよいのであり、この場合は、チューブの端部を引手ケース５９に固定すれば足りるので、ガイド手段は不要になる。
【００７０】
本実施形態のロック装置２０は、第１実施形態と同様にアッパブラケット２１は備えているが、第１実施形態のレバー部材２２は備えておらず、可動ロック体２３がワイヤー５８で回動操作される。図１０のとおり、ワイヤー５８は、アッパブラケット２１の内部には、当該アッパブラケット２１の対角方向から引き込まれており、可動ロック体２３の上端部にボール６７（図１３参照）を介して係止されている。
【００７１】
可動ロック体２３は、上下中途部に設けた支軸６８を中心にして回動し、ワイヤー５８で引かれると、下端に設けた爪部６９が受け部材２４に設けた係合穴７０から離脱する。従って、可動ロック体２３は、ワイヤー５８による引っ張り方向と直交した方向の軸心回りに回動する。アッパブラケット２１の筒部２１ｂには、受け部材２４に嵌入する下向き突部２１ｃを設けており、下向き突部２１ｃの内部に、可動ロック体２３の爪部６９が配置されている。
【００７２】
可動ロック体２３の支軸６８は、アッパブラケット２１に設けた上向き開口の軸受け溝７１に嵌まっている。可動ロック体２３は、ばね７２によってロック姿勢に付勢されている。また、可動ロック体２３は、カバー７３で上から覆われている。アッパブラケット２１には、ワイヤー５８を通すための上向き開口溝７４を形成している。
【００７３】
この第２実施形態においても、第１実施形態と同様に、受け部材２４にはプッシャー２６を配置している。また、アッパブラケット２１には、ワイヤー５８の引っ張りをスムースにするため、ワイヤー５８を適度の曲率半径でアッパブラケット２１に引き込むガイド部材を設けており、このガイド部材は、図１２と類似した形態となすことができる。
【００７４】
なお、ばね２５の力を天板１の押し上げ機能を果たさない弱い力とすることで、プッシャー２６を蓋部材に置き換えることも可能である。すなわち、この場合は、ロック解除して天板１を跳ね上げた状態で、受け部材２４の開口部が蓋部材で塞がれるのである。
【００７５】
(7).その他
本発明は、上記の実施形態の他にも様々に具体化できる。例えば、操作手段の引手は回動式（レバー式）やスライド式には限らず、プッシュボタン方式であってもよい。操作手段の配置位置も天板には限らないのであり、脚装置に設けてもよい。
【００７６】
ロック装置としては、可動ロック体を脚装置に直接係合させることも可能である。抑止手段としては、摩擦を利用したものを使用することも可能である。脚装置も実施形態のような棒足方式には限らないのであり、例えば板状の脚を使用することも可能である。押し上げ装置をロック装置に内蔵するに当たっては、天板に固定された部材（例えばアッパブラケット）の内部に設けることも可能である。
【産業上の利用可能性】
【００７７】
本発明は、実際にテーブルに具体化できる。従って、産業上利用できる。
【符号の説明】
【００７８】
１  天板
２  脚装置
４  前脚柱
８  リア支持フレーム
９  軸受けブラケット
１１  抑止手段の一例としてのガススプリング
２０  ロック装置
２１  アッパブラケット
２２  操作手段を兼用するレバー部材
２２ａ  引手（操作手段）
２３  可動ロック体
２３ａ  上爪部
２３ｂ  下爪部
２４  受け部材（固定部）
２５  ばね
２６  押し上げ装置の一例としてのプッシャー
３８，３９  窓穴
【図１】
0006518055.tif 000002
【図２】
0006518055.tif 000003
【図３】
0006518055.tif 000004
【図４】
0006518055.tif 000005
【図５】
0006518055.tif 000006
【図６】
0006518055.tif 000007
【図７】
0006518055.tif 000008
【図８】
0006518055.tif 000009
【図９】
0006518055.tif 000010
【図１０】
0006518055.tif 000011
【図１１】
0006518055.tif 000012
【図１２】
0006518055.tif 000013
【図１３】
0006518055.tif 000014